(57)【要約】【課題】雨樋構造における雨水の排出口を任意の位置に配設することを可能にした建物外部構築物を提供する。【解決手段】前面壁部１が、建物本体の外壁Ｔ１に沿う横方向Ｓ１に延設された基台と、横方向Ｓ１に間隔をあけて立設された複数の支柱６と、複数の支柱６の上端部に接続して横方向Ｓ１に架設された桁７とを備え、桁７と支柱６を中空構造で形成するとともに、桁７の上面に屋根部２を伝わって流下した雨水を内部に集水するための集水口２１を形成し、支柱６は、桁７に集水した雨水を内部に流通させ、雨水を外部に排出させるための開口部４２を一側面に形成するとともに、一側面を着脱可能で且つ複数の支柱側面パネル片４７ａに分割可能な支柱側面パネル４７で形成し、開口部４２の位置を支柱６の上下方向Ｓ３の任意の位置に設定可能に構成する。【選択図】図２
2015132115.tif 000002
【特許請求の範囲】
【請求項１】
少なくとも、前面壁部と、一端側を前記前面壁部に接続して設けられた屋根部とを備え、前記屋根部の他端側を建物本体の外壁に配置して構築される建物外部構築物であって、
前記前面壁部が、建物本体の外壁に沿う横方向に延設された基台と、前記横方向に間隔をあけて立設された複数の支柱と、前記複数の支柱の上端部に接続して横方向に架設された桁とを備え、
前記桁と前記支柱が中空構造で形成されるとともに、
前記桁は、上面に前記屋根部を伝わって流下した雨水を内部に集水するための集水口が形成され、
前記支柱は、前記桁に集水した雨水を内部に流通させ、該雨水を外部に排出させるための開口部が一側面に形成されるとともに、前記一側面が着脱可能で且つ複数の支柱側面パネル片に分割可能な支柱側面パネルで形成され、
前記開口部の位置を前記支柱の上下方向の任意の位置に設定可能に構成されていることを特徴とする建物外部構築物。
【請求項２】
請求項１記載の建物外部構築物において、
前記支柱の内部を流通した雨水を直接受け前記支柱の開口部を通じて外部に排出させるための雨水受け部材、
あるいは、上端部を前記桁に接続して前記支柱の内部に挿通配置された竪樋の下端部に接続され、前記竪樋から前記支柱の開口部を通じて外部に雨水を排出させる導水部材を受け前記竪樋を支持する竪樋受け部材が、前記開口部から前記支柱の内部に着脱可能に挿入して設けられていることを特徴とする建物外部構築物。
【請求項３】
請求項２記載の建物外部構築物において、
上下に隣り合う上方の支柱側面パネル片の下端と下方の支柱側面パネル片の上端の間に隙間をあけて前記開口部が形成され、
前記雨水受け部材あるいは前記竪樋受け部材が、前記開口部から前記支柱の内部に挿入し横方向に配置されて前記雨水あるいは前記導水部材を受ける受け部と、
前記受け部の前記開口部側の一端部に繋がって一体形成されるとともに前記雨水を排出させる排出孔あるいは前記導水部材を挿通する挿通孔が形成され、前記上方の支柱側面パネル片の下端と前記下方の支柱側面パネル片の上端の間に配設されて前記受け部を保持する保持部とを備えていることを特徴とする建物外部構築物。
【請求項４】
請求項３記載の建物外部構築物において、
前記受け部は、上面が前記支柱の内部に配された他端部から前記開口部側の一端部に向かうに従い下方に傾斜する傾斜面として形成されていることを特徴とする建物外部構築物。
【請求項５】
請求項３または請求項４に記載の建物外部構築物において、
前記保持部は、上端部に、外面側に設けられて上方に突出する外側係合片と、内面側に設けられ、前記外側係合片との間に係合溝を形成するように上方に突出する内側係合片とが設けられ、
且つ、前記外側係合片が前記内側係合片よりも短い長さで突出形成され、
前記上方の支柱側面パネル片の下端を前記係合溝に挿入し前記外側係合片と前記内側係合片に係合させて、前記開口部に配設されることを特徴とする建物外部構築物。
【請求項６】
請求項３から請求項５のいずれか一項に記載の建物外部構築物において、
前記受け部は、一端部から他端部側に凹設された凹所を備えるとともに、該凹所の他端部側の底板部にビス挿通孔を備えて形成されており、
前記支柱の内部に挿入配置するとともに、前記開口部の外側から前記凹所に挿通した工具によって前記底板部を前記支柱の内部でビス止めし、前記受け部が前記支柱に固定されていることを特徴とする建物外部構築物。
【請求項７】
請求項３から請求項６のいずれか一項に記載の建物外部構築物において、
前記保持部に着脱可能に取り付けて雨水の排出方向を規定するアタッチメント部材を備えていることを特徴とする建物外部構築物。
【発明の詳細な説明】
【技術分野】
【０００１】
本発明は、サンルームやテラス、カーポートなどの建物本体の外部に構築される建物外部構築物に関する。
【背景技術】
【０００２】
住宅や店舗などの建物の多機能化を図り、利便性、快適性を向上させることができるという大きな利点を有することから、サンルームやテラス、バルコニーなどのガーデンルームタイプの建物外部構築物や、カーポート、自転車置き場、オープンテラス、物置、通路等のサイドスルータイプの建物外部構築物を住宅などの建物本体の外部に構築（設置、増築）するケースが増大している（例えば、特許文献１、特許文献２参照）。
【０００３】
そして、ガーデンルームタイプの建物外部構築物Ａは、例えば図１９に示すように、住宅などの建物本体Ｔの外壁Ｔ１に沿って、且つ外壁Ｔ１と所定の間隔をあけて設けられる前面壁部１と、一端２ａを前面壁部１の上端側に、他端を２ｂ建物本体Ｔの外壁Ｔ１側にそれぞれ接続して設けられる屋根部２と、前面壁部１と屋根部２と建物本体Ｔの外壁Ｔ１側にそれぞれ接続して設けられる一対の側面壁部３とを備えて構成されている。
【０００４】
また、この種の建物外部構築物Ａには、前面壁部１を、土間コンクリートやデッキ、独立基礎等の基礎４上に、住宅などの建物本体Ｔの外壁Ｔ１に沿う横方向Ｓ１に且つ外壁Ｔ１と所定の間隔をあけて設置される基台５と、基台５に下端部６ａを接続して立設されるとともに横方向Ｓ１に所定の間隔をあけて並設される複数の支柱６と、複数の支柱６の上端部に接続して横方向Ｓ１に架設される桁７と、下端部を基台５に、両側端部を支柱６に、上端部を桁７にそれぞれ支持させて、隣り合う支柱６の間に配設されるガラス板などの前面パネル（壁面部材）８を備えて構成したものがある。
【０００５】
また、屋根部２は、建物本体Ｔに設置される垂木掛け１０と、横方向Ｓ１に所定の間隔をあけて配設されるとともに、一端を桁７に、他端を垂木掛け１０にそれぞれ接続して架設される複数の垂木１１と、垂木１１に支持させて屋根面を形成する例えばポリカーボネートやアクリル等の樹脂板やガラス板等の屋根材１２とを備えて構成されている。
【０００６】
側面壁部３には、前面壁部１と同様に、基台５、支柱６及び側面パネル（壁面部材）１３を設置して構成したり、折れ戸１４や窓を設置して構成したものがある。
また、前面壁部１や側面壁部３を、腰壁１５と、腰壁１５の笠木構造１６に下端部６ａを接続して立設される複数の支柱６と、隣り合う支柱６の間に設置されるガラス板等の前面パネル８や側面パネル１３とを備えて構成したものもある（図１参照）。
【０００７】
一方、この種の建物外部構築物Ａは、一般に、基台５（笠木取付用基台）や支柱６、桁７、垂木１１、垂木掛け１０などがアルミ押出し形材を用いて形成されている。また、支柱６や桁７、垂木１１などが中空構造で形成され、この中空構造を利用して雨樋構造を構成したものがある（例えば、特許文献３参照）。
【０００８】
具体的に、この雨樋構造２０は、桁７の上面に集水口（開口部）２１を設け、さらに支柱６の一側面を着脱可能に形成し、支柱６の下端部６ａ側の内部に雨水受け部材２２を挿入設置し、この雨水受け部材２２の上方に支柱６の一側面を形成する支柱側面パネル６ｂを取り付けて構成されている。
あるいは、支柱６の内部に桁７に繋がる竪樋を挿設し、さらに支柱６の下端部６ａ側の内部に竪樋受け部材２２を挿入設置して竪樋の下端部に取り付けたエルボ管等の導水部材とともに竪樋を支持し、竪樋受け部材２２の上方に支柱側面パネル６ｂを取り付けて構成されている。
【０００９】
そして、このような雨樋構造２０では、屋根部２を伝わって流下した雨水（雨水や雪融け水等の水）を、集水口２１を通じて桁７の中空部に集水し、桁７の中空部から支柱６の中空部や竪樋を通じて下方に導水し、雨水受け部材２２や導水部材を通じて外部に排水させることができる。そして、この雨樋構造２０を備えた建物外部構築物Ａにおいては、桁７を軒樋として、支柱６を竪樋あるいは竪樋挿通路として利用できるため、建物外部構築物Ａの外観を損なうことなく、好適に雨水を処理することができる。
【先行技術文献】
【特許文献】
【００１０】
【特許文献１】特開２００７−２４７１７６号公報
【特許文献２】特開２００２−２２７４３８号公報
【特許文献３】特開２００６−１５２５５０号公報
【発明の概要】
【発明が解決しようとする課題】
【００１１】
ここで、上記従来の建物外部構築物が具備する雨樋構造においては、桁から支柱を通じて導水した雨水を外部に排出するための雨受け部材や竪樋受け部材を設置するための開口部、ひいては雨水の排出口が、予め支柱の下端部側などの所定位置に形成されている。
【００１２】
しかしながら、ガーデンルームタイプやサイドスルータイプの建物外部構築物においては、建物本体の状況や建物外部構築物の設置位置等に応じて雨水の排出口を上下の任意の位置に設けることが求められるケースも多々あり、従来の雨樋構造では、このようなケースに柔軟に対応できないという問題があった。
【００１３】
本発明は、上記事情に鑑み、雨樋構造における雨水の排出口を任意の位置に配設することを可能にした建物外部構築物を提供することを目的とする。
【課題を解決するための手段】
【００１４】
上記の目的を達するために、この発明は以下の手段を提供している。
【００１５】
本発明の建物外部構築物は、少なくとも、前面壁部と、一端側を前記前面壁部に接続して設けられた屋根部とを備え、前記屋根部の他端側を建物本体の外壁に配置して構築される建物外部構築物であって、前記前面壁部が、建物本体の外壁に沿う横方向に延設された基台と、前記横方向に間隔をあけて立設された複数の支柱と、前記複数の支柱の上端部に接続して横方向に架設された桁とを備え、前記桁と前記支柱が中空構造で形成されるとともに、前記桁は、上面に前記屋根部を伝わって流下した雨水を内部に集水するための集水口が形成され、前記支柱は、前記桁に集水した雨水を内部に流通させ、該雨水を外部に排出させるための開口部が一側面に形成されるとともに、前記一側面が着脱可能で且つ複数の支柱側面パネル片に分割可能な支柱側面パネルで形成され、前記開口部の位置を前記支柱の上下方向の任意の位置に設定可能に構成されていることを特徴とする。
【００１６】
この発明においては、屋根部を伝わって流下した雨水を集水口から桁の内部に集水し、この桁から支柱の内部あるいは支柱の内部に配設された竪樋を通じて下方に導水し、支柱の一側面に形成された開口部から外部に排出させることができる。また、このとき、支柱の一側面が着脱可能で且つ複数の支柱側面パネル片に分割可能な支柱側面パネルで形成されていることにより、支柱側面パネル片を着脱して開口部の位置を所望の位置に自在に変えることができる。
【００１７】
また、本発明の建物外部構築物においては、前記支柱の内部を流通した雨水を直接受け前記支柱の開口部を通じて外部に排出させるための雨水受け部材、あるいは、上端部を前記桁に接続して前記支柱の内部に挿通配置された竪樋の下端部に接続され、前記竪樋から前記支柱の開口部を通じて外部に雨水を排出させる導水部材を受け前記竪樋を支持する竪樋受け部材が、前記開口部から前記支柱の内部に着脱可能に挿入して設けられていることが望ましい。
【００１８】
この発明においては、雨受け部材や竪樋受け部材を開口部から支柱の内部に挿入するだけで、支柱の内部を流通した雨水を開口部を通じて外部に排出させたり、竪樋の下端部に接続した導水部材とともに竪樋を支持することができる。そして、このような雨受け部材や竪樋受け部材が着脱可能に開口部から支柱の内部に挿入して設けられることで、容易に開口部（雨水の排出口）の位置を自在に設定し、雨水を処理することが可能になる。また、雨水受け部材や竪樋受け部材に砂や枯葉などの異物が溜まった場合に、容易に雨受け部材や竪樋受け部材を取り外し、異物を除去することが可能になる。
【００１９】
さらに、本発明の建物外部構築物においては、上下に隣り合う上方の支柱側面パネル片の下端と下方の支柱側面パネル片の上端の間に隙間をあけて前記開口部が形成され、前記雨水受け部材あるいは前記竪樋受け部材が、前記開口部から前記支柱の内部に挿入し横方向に配置されて前記雨水あるいは前記導水部材を受ける受け部と、前記受け部の前記開口部側の一端部に繋がって一体形成されるとともに前記雨水を排出させる排出孔あるいは前記導水部材を挿通する挿通孔が形成され、前記上方の支柱側面パネル片の下端と前記下方の支柱側面パネル片の上端の間に配設されて前記受け部を保持する保持部とを備えていることがより望ましい。
【００２０】
この発明においては、雨水受け部材あるいは竪樋受け部材の受け部を開口部から支柱の内部に挿入配置するとともに、保持部が上方の支柱側面パネル片の下端と下方の支柱側面パネル片の上端の間に配置される。これにより、保持部によって受け部を支持するとともに、排出孔や挿通孔を所定の位置に配しつつ支柱の開口部を閉塞（被覆）することができ、支柱の開口部が形成されている部分の見栄えを良くすることができる。
【００２１】
また、本発明の建物外部構築物において、前記受け部は、上面が前記支柱の内部に配された他端部から前記開口部側の一端部に向かうに従い下方に傾斜する傾斜面として形成されていることがさらに望ましい。
【００２２】
この発明においては、受け部の上面が傾斜していることにより、流通する雨水の流通抵抗を小さくして円滑に雨水を排出処理することが可能になる。また、受け部の上面が傾斜していることにより、雨水受け部材の受け部や竪樋受け部材が支持する導水部材に砂や枯葉等の異物が溜まることを抑止できる。
【００２３】
さらに、本発明の建物外部構築物において、前記保持部は、上端部に、外面側に設けられて上方に突出する外側係合片と、内面側に設けられ、前記外側係合片との間に係合溝を形成するように上方に突出する内側係合片とが設けられ、且つ、前記外側係合片が前記内側係合片よりも短い長さで突出形成され、前記上方の支柱側面パネル片の下端を前記係合溝に挿入し前記外側係合片と前記内側係合片に係合させて、前記開口部に配設されることが望ましい。
【００２４】
この発明においては、受け部を開口部から支柱の内部に挿入するとともに、開口部を形成する上方の支柱側面パネル片の下端を係合溝に挿入し、外側係合片と内側係合片に係合させることで、保持部を支柱側面パネルに固定して配設することができる。また、このとき、外側係合片によって上方の支柱側面パネル片の下端が被覆されるため、支柱の開口部が形成されている部分の見栄えを良くすることができる。
【００２５】
さらに、外側係合片が内側係合片よりも短い長さで突出形成されていることにより、他端部側を下方にして斜めに傾けた状態で受け部を支柱の内部に挿入し、上方の支柱側面パネル片の下端を保持部の係合溝に挿入しながら受け部を横方向に配置してゆくことで、雨水受け部材あるいは竪樋受け部材を所定位置に取り付けることができる。また、外側係合片が内側係合片よりも短い長さで突出形成されていることにより、他端部側を下方にして斜めに傾けながら開口部から受け部を引き出して、雨水受け部材あるいは竪樋受け部材を取り外すことができる。すなわち、外側係合片が内側係合片よりも短い長さで突出形成されていることにより、雨水受け部材あるいは竪樋受け部材を容易に着脱することができる。
【００２６】
また、本発明の建物外部構築物において、前記受け部は、一端部から他端部側に凹設された凹所を備えるとともに、該凹所の他端部側の底板部にビス挿通孔を備えて形成されており、前記支柱の内部に挿入配置するとともに、前記開口部の外側から前記凹所に挿通した工具によって前記底板部を前記支柱の内部でビス止めし、前記受け部が前記支柱に固定されていることがより望ましい。
【００２７】
この発明においては、受け部の他端部側をビス止めして支柱に固定することができ、安定した状態で、着脱可能に、雨水受け部材あるいは竪樋受け部材を所定位置に取り付けることができる。
【００２８】
さらに、本発明の建物外部構築物においては、前記保持部に着脱可能に取り付けて雨水の排出方向を規定するアタッチメント部材を備えていることが望ましい。
【００２９】
この発明においては、下方向や横方向に向けて雨水の排出口が形成された複数のアタッチメント部材を用意しておき、適宜、所望の雨水の排出方向に合ったアタッチメント部材を取り付けることで、容易に雨水の処理を行うことが可能な汎用性の高い雨樋構造を構成することができる。
【発明の効果】
【００３０】
本発明の建物外部構築物においては、支柱の一側面が着脱可能で且つ複数の支柱側面パネル片に分割可能な支柱側面パネルで形成されていることにより、支柱側面パネル片を着脱して開口部の位置を所望の位置に自在に変えることができる。
【００３１】
これにより、建物本体の状況や建物外部構築物の設置位置等に応じて雨水の排出口（開口部）を上下の任意の位置に設けることができ、柔軟に対応することが可能になる。
【図面の簡単な説明】
【００３２】
【図１】本発明の一実施形態に係る建物外部構築物を示す斜視図である。
【図２】本発明の一実施形態に係る建物外部構築物を示す正面図である。
【図３】本発明の一実施形態に係る建物外部構築物の支柱を示す断面図である。
【図４】本発明の一実施形態に係る建物外部構築物の支柱を笠木取付用基台に取り付ける状況を示した斜視図である。
【図５】本発明の一実施形態に係る建物外部構築物の雨樋構造を示す図である。
【図６】本発明の一実施形態に係る建物外部構築物の雨樋構造の竪樋受け部材を示す側面図である。
【図７】図６のＸ１−Ｘ１線矢視図である。
【図８】図６のＸ２−Ｘ２線矢視図である。
【図９】図６のＸ３−Ｘ３線矢視図である。
【図１０】図６のＸ４−Ｘ４線矢視図である。
【図１１】本発明の一実施形態に係る建物外部構築物の雨樋構造の竪樋受け部材を支柱の開口部から内部に挿入配置して取り付けた状態を示す図である。
【図１２】本発明の一実施形態に係る建物外部構築物の雨樋構造のアタッチメント部材を示す側面図である。
【図１３】図１２のＸ１−Ｘ１線矢視図である。
【図１４】図１２のＸ２−Ｘ２線矢視図である。
【図１５】図１２のＸ３−Ｘ３線矢視図である。
【図１６】図１２のＸ４−Ｘ４線矢視図である。
【図１７】本発明の一実施形態に係る建物外部構築物の雨樋構造のアタッチメント部材の他の形態を示す斜視図である。
【図１８】本発明の一実施形態に係る建物外部構築物の雨樋構造のアタッチメント部材の他の形態を示す斜視図である。
【図１９】従来の建物外部構築物を示す斜視図である。
【発明を実施するための形態】
【００３３】
以下、図１から図１８を参照し、本発明の一実施形態に係る建物外部構築物について説明する。ここで、本実施形態では、本発明に係る建物外部構築物が、住宅や店舗などの建物本体に繋げて構築されるガーデンルームタイプの建物外部構築物であるものとして説明を行う。
【００３４】
本実施形態の建物外部構築物Ｂは、サンルーム（ガーデンルーム）であり、例えば図１及び図２に示すように、前面壁部１と、一対の側面壁部３と、屋根部２とを備えて構成されている。
【００３５】
前面壁部１は、例えば建物本体Ｔのサッシ窓等が形成された外壁Ｔ１から所定の間隔で離間し、且つ外壁Ｔ１に沿って略平行に、すなわち外壁Ｔ１に対向して配設されている。また、本実施形態では、この前面壁部１が、腰壁部（腰壁）１５と、腰壁部１５の上方の採光壁部２５とを備えて構成されている。
【００３６】
具体的に、本実施形態の前面壁部１は、土間コンクリートやデッキ、独立基礎等の基礎４上に載置したり、束材等を用い基礎４の上面との間に間隔をあけて固設されるとともに、建物本体Ｔの外壁Ｔ１に沿う横方向Ｓ１に延設された基台２６上に、腰壁部１５が構築されている。そして、この腰壁部１５に下端部６ａ側を支持させつつ腰壁部１５の笠木（笠木構造１６）から上方に支柱６が延設され、且つ腰壁部１５に沿う横方向Ｓ１に所定の間隔をあけて複数の支柱６が並設されている。
【００３７】
また、支柱６は、図３及び図４に示すように、押出成形で略角管状に形成されたアルミ押出し形材であり、中空構造で形成されている。さらに、本実施形態の支柱６には、下端部６ａ側から上端部側に延びる仕切板部６ｃが設けられており、その内部が一方の中空部２７と他方の中空部２８に区画されている。
【００３８】
そして、この支柱６は、下端部６ａ側の一方の中空部（嵌合受部）２７に腰壁部１５の笠木構造１６の笠木取付用基台（基台）２９に設けられたスリーブ（嵌合凸部）３０を嵌合させることにより、下端部６ａを笠木取付用基台２９に接続して立設されている。なお、支柱６の下端部６ａを笠木取付用基台２９のスリーブ３０に嵌合させるとともに、外側から支柱６の下端部６ａと笠木取付用基台２９のスリーブ３０をビス止めし、強固に支柱６が腰壁部１５に接続される。
【００３９】
前面壁部１の採光壁部２５は、図１及び図２に示すように、笠木構造１６から上方に延設された複数の支柱６と、複数の支柱６の上端部に接続して横方向Ｓ１に架設された桁７と、笠木取付用基台２９に下端部側を支持させ、隣り合う支柱６にそれぞれ側端部を支持させ、上端部側を桁７に支持させて、各隣り合う支柱６間に設置されたガラス板などの前面パネル８とを備えて構成されている。
【００４０】
また、桁７は押出成形によって略角管状に形成されたアルミ押出し形材であり、上面に集水口２１を備えて形成されている。
【００４１】
屋根部２は、一端を桁７に接続して斜めに配設されるとともに、横方向Ｓ１に所定の間隔をあけて配設された複数の垂木１１と、複数の垂木１１の他端を接続して架設された垂木掛け１０と、隣り合う垂木１１に固定して支持され、屋根面を形成するポリカーボネートやアクリル等の樹脂板やガラス板等の屋根材１２とを備えて構成されている。また、本実施形態では、隣り合う垂木１１を横方向Ｓ１に延設された中骨材（連結材）３１によって連結して屋根部２が構成されている。
なお、屋根部２を構成する垂木掛け１０、垂木１１、中骨材３１もそれぞれ、アルミ押出し形材を用いて形成されている。
【００４２】
側面壁部３は、例えば、前面壁部１と同様に、腰壁部１５と採光壁部２５を備えて形成したり、窓を備えて形成したり、折り戸１４や扉を設置して出入り可能に形成したり、腰壁部１５をなくし、採光壁部２５のみで形成するなどの構成を適宜選択して構築されている。
【００４３】
なお、本実施形態では、図１に示すように、前面壁部１の妻支柱６の上端部側に一端を接続し、建物本体Ｔの外壁Ｔ１側の側面壁部３の妻支柱６に他端を接続し、アルミ押出し形材の妻梁３２が横方向の奥行き方向Ｓ２に沿って水平に設置されている。さらに、この妻梁３２と妻垂木１１と妻支柱６で囲まれた略三角形状の枠部内にガラス板等（ＦＩＸ窓３３）を設置したり、室内側に倒れる内倒し窓を設置して側面壁部３が形成されている。
【００４４】
一方、本実施形態の建物外部構築物Ｂは、屋根部２を伝って流下する雨水を集水して所望の位置に排出処理するための雨樋構造４０を備えている。
【００４５】
この雨樋構造４０は、図１、図２、図３及び図５に示すように、上面に集水口２１が形成された桁７と、桁７の内部に上端部を接続するとともに中空構造の支柱６の内部の一方の中空部２７に挿通配置された竪樋４１と、一端を竪樋４１の下端部に接続し、他端を支柱６の一側面に形成された開口部４２（排出口４３）を通じて外部に配し、竪樋４１内部を流下した雨水を外部に排出する導水部材４４と、導水部材４４ひいては竪樋４１を支持する竪樋受け部材４５と、竪樋受け部材４５に取り付け、導水部材４４から排出された雨水を、横方向や下方向等の任意の方向に導水するためのアタッチメント部材４６とを備えて構成されている。
【００４６】
さらに、本実施形態の雨樋構造４０では、竪樋４１が挿通する支柱６の一側面が着脱可能で且つ上下方向Ｓ３に複数に分割形成されている。すなわち、支柱６は、開口部４２が形成される一側面が着脱可能な支柱側面パネル４７で形成されるとともに、この支柱側面パネル４７が複数の支柱側面パネル片４７ａに分割可能に形成されている。
【００４７】
また、図５に示すように、竪樋４１は、円管または角管であり、上下方向Ｓ３に複数に分割可能に形成されるとともに、継手・ソケットを用いてその長さを自在に調節できるように構成されている。なお、竪樋４１は必ずしも継手・ソケットを用いて一体に接続して構成されていなくてもよく、適宜切断してその長さを調節するようにしてもよい。
【００４８】
導水部材４４は、エルボ（エルボ管）であり、竪樋４１の下端部に一端を接続して支柱６の内部に配設されている。また、導水部材４４は、竪樋４１と同軸の一端側に対し、他端側が他端に向かうに従い漸次所定の角度θ１で下方に傾斜して形成されている。そして、この導水部材４４は、支柱６の一側面に分割可能且つ着脱可能に取り付けられた上下に隣り合う上方の支柱側面パネル片４７ａの下端４７ｂと下方の支柱側面パネル片４７ａの上端４７ｃの間に隙間をあけて形成した支柱６の開口部４２を通じて、他端側が支柱６の外部に配されている。
【００４９】
竪樋受け部材４５は、図２、図５、図６から図１０に示すように、支柱６の開口部４２から内部に挿入配置されて導水部材４４ひいては竪樋４１を受けて支持する受け部５０と、受け部５０の開口部４２側の一端部に繋がって一体形成されるとともに導水部材４４の他端側を挿通する挿通孔（排出口４３）が形成され、上方の支柱側面パネル片４７ａの下端４７ｂと下方の支柱側面パネル片４７ａの上端４７ｃの間に配設されて受け部５０を保持する保持部５１とを備えている。
【００５０】
受け部５０は、その上面５０ａが支柱６の内部に配された他端部５０ｅから開口部４２側の一端部５０ｆに向かうに従い漸次下方に傾斜する傾斜面として形成され、導水部材４４の他端側と略同等の傾斜角度θ１で形成されている。さらに、受け部５０は、一端部５０ｆから他端部５０ｅ側に凹設された凹所５０ｂを備えるとともに、この凹所５０ｂの他端部５０ｅ側の底板部５０ｃにビス挿通孔５０ｄを備えて形成されている。
【００５１】
保持部５１は、略平板状に形成されている。また、保持部５１は、その上端部に、外面側に設けられて上方に突出する外側係合片５１ａと、内面側に設けられ、外側係合片５１ａとの間に係合溝５１ｂを形成するように上方に突出する内側係合片５１ｃとが設けられている。また、本実施形態では、外側係合片５１ａが内側係合片５１ｃよりも短い長さで突出形成されている。さらに、外側係合片５１ａは、保持部５１の一側端部から他側端部まで形成され、支柱６に形成される開口部４２の幅と略同等の幅寸法で形成されている。
【００５２】
さらに、保持部５１には、アタッチメント部材４６を取り付けるための係合孔５１ｄが貫通形成されている。
【００５３】
そして、この竪樋受け部材４５は、図５及び図１１に示すように、受け部５０を開口部４２から支柱６の内部に挿入配置するとともに、保持部５１が上方の支柱側面パネル片４７ａの下端４７ｂと下方の支柱側面パネル片４７ａの上端４７ｃの間に配置される。
【００５４】
また、このとき、受け部５０を開口部４２から支柱６の内部に挿入するとともに、開口部４２を形成する上方の支柱側面パネル片４７ａの下端４７ｂを係合溝５１ｂに挿入し、外側係合片５１ａと内側係合片５１ｃに係合させる。これにより、保持部５１が支柱側面パネル４７に固定して配設され、この保持部５１によって受け部５０が支持されるとともに、挿通孔（排出口４３）を所定の位置に配しつつ支柱６の開口部４２が閉塞／被覆される。
【００５５】
さらに、本実施形態では、外側係合片５１ａが内側係合片５１ｃよりも短い長さで突出形成されていることにより、他端部５０ｅ側を下方にして斜めに傾けた状態で受け部５０を支柱６の内部に挿入し、上方の支柱側面パネル片４７ａの下端４７ｂを保持部５１の係合溝５１ｂに挿入しながら受け部５０を横方向Ｓ２に配置してゆく。これにより、竪樋受け部材４５が所定位置に配設される。
【００５６】
また、受け部５０を支柱６の内部に挿入配置すると、支柱６の仕切板部６ｃに底板部５０ｃが当接する。そして、支柱６の開口部４２の外側から凹所５０ｂに回転工具を挿通し、この回転工具によってビス挿通孔５０ｄを通じて底板部５０ｃを支柱６の内部の仕切板部にビス止めすることで、受け部５０が確実に支柱６に固定される。
【００５７】
また、本実施形態の竪樋受け部材４５においては、保持部５１の外側係合片５１ａが内側係合片５１ｃよりも短い長さで突出形成されている。このため、他端部５０ｅ側を下方にして斜めに傾けながら開口部４２から受け部５０を引き出し、且つ係合溝５１ｂから上方の支柱側面パネル片４７ａの下端４７ｂを外すことで、容易に竪樋受け部材４５の取り外しが行える。
【００５８】
一方、アタッチメント部材４６は、管状に形成され、竪樋受け部材４５の保持部５１に形成された挿通孔（排出口４３）から外側に延設された導水部材４４の他端側を内部に挿入するようにして、竪樋受け部材４５の保持部５１に取り付けられる。また、本実施形態のアタッチメント部材４６には、竪樋受け部材４５の保持部５１に接続する端部にフック状の係合凸部４６ａが設けられており、竪樋受け部材４５の保持部５１に形成された係合孔５１ｄにこの係合凸部４６ａを係合させることによって着脱可能にアタッチメント部材４６が保持部５１に取り付けられる。すなわち、本実施形態では、スナップフィットによってアタッチメント部材４６と竪樋受け部材４５の保持部５１が着脱可能に接合される。なお、アタッチメント部材４６を竪樋受け部材４５の保持部５１に着脱可能に接合する構成はスナップフィットに限定する必要はなく、例えばビス止めなどであってもよい。
【００５９】
さらに、アタッチメント部材４６は、導水部材４４（開口部４２、排出口４３）から排出された雨水の導水方向を規定するためのものであり、本実施形態では、図１２から図１６、図１７及び図１８に示すように、横方向や下方向等の任意の方向に設定できるように、形状が異なる複数種のアタッチメント部材４６が用意されている。
【００６０】
図１７及び図１８に示した導水方向を横方向に設定するアタッチメント部材４６は、スナップフィットではなく、ビス止めによって保持部５１に着脱可能に接合されるタイプである。このアタッチメント部材４６においては、上端部側に外側突部４６ｂと内側突部４６ｃが設けられ、これらの間の係合溝４６ｄに竪樋受け部材４５の保持部５１の挿通孔の内周縁部を係合させ、ビス挿通孔４６ｅを通じて下端部側を保持部５１にビス止めすることで、着脱可能に取り付けられる。
【００６１】
上記構成からなる雨樋構造４０を備えた本実施形態の建物外部構築物Ｂにおいては、屋根部２を伝わって流下した雨水を集水口２１から桁７の内部に集水し、この桁７から支柱６の内部に配設された竪樋４１を通じて下方に導水し、支柱６の一側面に形成された開口部４２から外部に排出させる。そして、このとき、支柱６の一側面が着脱可能で且つ複数の支柱側面パネル片４７ａに分割可能な支柱側面パネル４７で形成されていることにより、支柱側面パネル片４７ａを着脱して開口部４２の位置を所望の位置に自在に変えることができる。
【００６２】
これにより、本実施形態の建物外部構築物Ｂによれば、建物本体Ｔの状況や建物外部構築物Ｂの設置位置等に応じて雨水の排出口４３（開口部４２）を上下の任意の位置に設けることができ、柔軟に対応することが可能になる。
【００６３】
また、本実施形態の建物外部構築物Ｂにおいては、竪樋受け部材４５を開口部４２から支柱６の内部に挿入するだけで、支柱６の内部を流通した雨水を開口部４２を通じて外部に排出させたり、竪樋４１の下端部に接続した導水部材４４とともに竪樋４１を支持することができる。そして、このような竪樋受け部材４５が着脱可能に開口部４２から支柱６の内部に挿入して設けられることで、容易に開口部４２（雨水の排出口４）の位置を自在に設定し、雨水を処理することが可能になる。また、竪樋受け部材４５に砂や枯葉などの異物が溜まった場合に、容易に竪樋受け部材４５を取り外し、異物を除去することが可能になる。
【００６４】
さらに、竪樋受け部材４５の受け部５０を開口部４２から支柱６の内部に挿入配置するとともに、保持部５１が上方の支柱側面パネル片４７ａの下端４７ｂと下方の支柱側面パネル片４７ａの上端４７ｃの間に配置される。これにより、保持部５１によって受け部５０を支持するとともに、排出口４３（挿通孔）を所定の位置に配しつつ支柱６の開口部４２を閉塞（被覆）することができ、支柱６の開口部４２が形成されている部分の見栄えを良くすることができる。
【００６５】
また、竪樋受け部材４５の受け部５０の上面５０ａが傾斜していることにより、流通する雨水の流通抵抗を小さくして円滑に雨水を排出処理することが可能になる。さらに、受け部５０の上面５０ａが傾斜していることにより、受け部５０や竪樋受け部材４５が支持する導水部材４４の内部に砂や枯葉等の異物が溜まることを抑止できる。
【００６６】
また、本実施形態の建物外部構築物Ｂにおいては、受け部５０を開口部４２から支柱６の内部に挿入するとともに、開口部４２を形成する上方の支柱側面パネル片４７ａの下端４７ｂを係合溝５１ｂに挿入し、外側係合片５１ａと内側係合片５１ｃに係合させることで、保持部５１を支柱側面パネル４７に固定して配設することができる。また、このとき、外側係合片５１ａによって上方の支柱側面パネル片４７ａの下端４７ｂが被覆されるため、支柱６の開口部４２が形成されている部分の見栄えを良くすることができる。
【００６７】
さらに、外側係合片５１ａが内側係合片５１ｃよりも短い長さで突出形成されていることにより、他端部５０ｅ側を下方にして斜めに傾けた状態で受け部５０を支柱６の内部に挿入し、上方の支柱側面パネル片４７ａの下端４７ｂを保持部５１の係合溝５１ｂに挿入しながら受け部５０を横方向Ｓ２に配置してゆくことで、竪樋受け部材４５を所定位置に取り付けることができる。また、外側係合片５１ａが内側係合片５１ｃよりも短い長さで突出形成されていることにより、他端部５０ｅ側を下方にして斜めに傾けながら開口部４２から受け部５０を引き出して、竪樋受け部材４５を取り外すことができる。すなわち、外側係合片５１ａが内側係合片５１ｃよりも短い長さで突出形成されていることにより、竪樋受け部材４５を容易に着脱することができる。
【００６８】
また、受け部５０の他端部５０ｅ側をビス止めして支柱６に固定することができ、安定した状態で、着脱可能に、竪樋受け部材４５を所定位置に取り付けることができる。
【００６９】
さらに、下方向や横方向に向けて雨水の排出口が形成された複数のアタッチメント部材４６を用意しておき、適宜、所望の雨水の排出方向に合ったアタッチメント部材４６を取り付けることで、容易に雨水の処理を行うことが可能な汎用性の高い雨樋構造４０を構成することができる。
【００７０】
以上、本発明に係る建物外部構築物の一実施形態について説明したが、本発明は上記の一実施形態に限定されるものではなく、その趣旨を逸脱しない範囲で適宜変更可能である。
【００７１】
例えば、本実施形態では、竪樋４１から支柱６の開口部４２を通じて外部に雨水を排出させる導水部材４４を受けて竪樋４１を支持する竪樋受け部材４５を備えて雨樋構造４０が構成されているものとしたが、本実施形態と同様の受け部５０と保持部５１を備えて形成され、支柱６の内部に挿入配置されるとともに支柱６の内部を流通した雨水を直接受け、支柱６の開口部４２を通じてこの雨水を外部に排出させる雨水受け部材を備えて雨樋構造４０を構成するようにしてもよい。
【００７２】
すなわち、本実施形態のように竪樋４１や導水部材４４を用いず、支柱６の中空部２７を竪樋として利用し、この支柱６の中空部２７を流下した雨水を受けるとともに支柱６の開口部４２から外部に排出させる雨水受け部材を備えて雨樋構造４０を構成してもよい。そして、この場合においても、雨水受け部材の受け部５０の全外周面が支柱６の中空部２７の全内面に密着するように、雨水受け部材や支柱６を形成することが必要になるが、勿論、本実施形態と同様の作用効果を得ることが可能である。
【００７３】
また、本実施形態では、隣り合う上方の支柱側面パネル片４７ａの下端４７ｂと下方の支柱側面パネル片４７ａの上端４７ｃとの間に隙間をあけて開口部４２を形成するものとしたが、例えば、予め開口部４２を貫通形成した支柱側面パネル片４７ａを他の支柱側面パネル片４７ａと付け替えることによって、開口部４２の位置を自在に変えるように構成してもよい。この場合においても、本実施形態と同様の作用効果を得ることが可能である。
【００７４】
また、本実施形態では、建物外部構築物Ｂがガーデンルームタイプの建物外部構築物であるものとして説明を行ったが、本発明に係る建物外部構築物はサイドスルータイプの建物外部構築物であってもよい。また、前面壁部１（や側面壁部３）が腰壁１５を備えるものとして説明を行ったが、これに限定する必要はなく、本発明は、図１９に示したタイプの建物外部構築物にも勿論適用可能である。
【符号の説明】
【００７５】
１      前面壁部
２      屋根部
２ａ    一端
２ｂ    他端
３      側面壁部
４      基礎
５      基台
６      支柱
６ａ    下端部
６ｂ    支柱側面パネル
６ｃ    仕切板部
７      桁
８      前面パネル（壁面部材）
１０    垂木掛け
１１    垂木
１２    屋根材
１３    側面パネル（壁面部材）
１４    折れ戸
１５    腰壁（腰壁部）
１６    笠木構造
２０    雨樋構造
２１    集水口
２２    雨水受け部材／竪樋受け部材
２５    採光壁部
２６    基台
２７    一方の中空部
２８    他方の中空部
２９    笠木取付用基台（基台）
３０    スリーブ（嵌合凸部）
３１    中骨材（連結材）
３２    妻梁
３３    ＦＩＸ窓
４０    雨樋構造
４１    竪樋
４２    開口部
４３    排出口
４４    導水部材
４５    竪樋受け部材
４６    アタッチメント部材
４６ａ  係合凸部
４６ｂ  外側突部
４６ｃ  内側突部
４６ｄ  係合溝
４６ｅ  ビス挿通孔
４７    支柱側面パネル
４７ａ  支柱側面パネル片
４７ｂ  上方の支柱側面パネル片の下端
４７ｃ  下方の支柱側面パネル片の上端
５０    受け部
５０ａ  上面
５０ｂ  凹所
５０ｃ  底板部
５０ｄ  ビス挿通孔
５０ｅ  他端部
５０ｆ  一端部
５１    保持部
５１ａ  外側係合片
５１ｂ  係合溝
５１ｃ  内側係合片
５１ｄ  係合孔
Ａ      従来の建物外部構築物
Ｂ      建物外部構築物
Ｓ１    横方向
Ｓ２    横方向（奥行き方向）
Ｓ３    上下方向
Ｔ      建物本体
Ｔ１    外壁
【図１】
2015132115.tif 000003
【図２】
2015132115.tif 000004
【図３】
2015132115.tif 000005
【図４】
2015132115.tif 000006
【図５】
2015132115.tif 000007
【図６】
2015132115.tif 000008
【図７】
2015132115.tif 000009
【図８】
2015132115.tif 000010
【図９】
2015132115.tif 000011
【図１０】
2015132115.tif 000012
【図１１】
2015132115.tif 000013
【図１２】
2015132115.tif 000014
【図１３】
2015132115.tif 000015
【図１４】
2015132115.tif 000016
【図１５】
2015132115.tif 000017
【図１６】
2015132115.tif 000018
【図１７】
2015132115.tif 000019
【図１８】
2015132115.tif 000020
【図１９】
2015132115.tif 000021